【手続補正書】
【提出日】平成27年12月4日(2015.12.4)
【手続補正１】
【補正対象書類名】明細書
【補正対象項目名】０００３
【補正方法】変更
【補正の内容】
【０００３】
先行技術において、STAは、最初に、通常モードで動作する。通常動作モードにおいて、STAは、配送トラフィック指示マップ（Delivery Traffic Indication Map、略してDTIM）を含む各々のビーコンフレーム（英語：Beacon）を受信する。DTIMは、現在、送信される必要があるマルチキャスト情報が存在することを示す。STAが属するマルチキャストグループが、すぐに送信されるべきダウンリンクデータを有するならば、STAはこのビーコンフレームの後の全てのマルチキャスト情報を受信し、そしてその情報からSTAが属するマルチキャストグループのマルチキャスト情報を選択する。STAによって実行されるビーコンフレームの探索回数を減少させるために、柔軟なマルチキャストサービス（Flexible Multicast Service、略してFMS）モードが進んでいる。FMSモードにおいて、STAは、前もってAPとネゴシエーションしてどのマルチキャスト周期を使用するかを決定する。STAは、ネゴシエーションを通して決定されたマルチキャスト周期に従って、マルチキャスト情報を受信するが、APは、送信されようとするマルチキャスト情報が属するマルチキャスト周期を識別するために、ビーコンフレーム内の８ビットのFMS IDを使用する。
【手続補正２】
【補正対象書類名】明細書
【補正対象項目名】００８４
【補正方法】変更
【補正の内容】
【００８４】
従って、任意選択の実現方法において、DTIMビーコンフレームは、次の方法で、送信されるべきマルチキャスト情報を有するマルチキャストグループを示し得る。送信されるべきマルチキャスト情報を有するマルチキャストグループを示すために、DTIMビーコンフレーム内の部分仮想ビットマップ（英語：partial virtual bitmap）を使用すること。先行技術において、ユニキャスト環境において、AIDに対応するSTAがダウンリンクデータを受信する必要があることを示すために、部分仮想ビットマップが使用される。この実現方法において、AIDはマルチキャストIDとして使用されるので、マルチキャスト環境において、送信されるべきマルチキャスト情報を有するマルチキャストグループを示すために、ビーコンフレーム内に存在する部分仮想ビットマップが使用され得る。例えば、部分仮想ビットマップ内のAIDに対応するビットが１ならば、マルチキャストIDとしてこのAIDを使用するマルチキャストグループが送信されるべきマルチキャスト情報を有することを示し、部分仮想ビットマップ内の複数のAIDに対応するビットが１ならば、マルチキャストIDとしてこれらのAIDを使用するマルチキャストグループが送信されるべきマルチキャスト情報を有することを示す。従って、AIDがマルチキャストIDとして使用されるとき、ビーコンフレーム内に存在するビットは、さらに、送信されるべきマルチキャスト情報を有するマルチキャストグループを通知するために使用され得る。ビーコンフレームは拡大される必要がなく、これはビーコンフレームの圧縮に導く。
【手続補正３】
【補正対象書類名】明細書
【補正対象項目名】００９１
【補正方法】変更
【補正の内容】
【００９１】
任意選択の実現方法において、各々の受信間隔は、マルチキャスト情報の平均送信持続期間である。従って、STAは、次の具体的な方法で、送信されるべきマルチキャスト情報を有するマルチキャストグループのマルチキャストIDのうちの、STAが属するマルチキャストグループのマルチキャストIDの順序に従って、STAが属するマルチキャストグループに対応する受信間隔で、STAが属するマルチキャストグループのマルチキャスト情報をAPから受信し得る。マルチキャスト情報の平均送信持続期間、および、送信されるべきマルチキャスト情報を有するマルチキャストグループのマルチキャストIDのうちの、STAが属するマルチキャストグループのマルチキャストIDの順序に従って、STAはそのウェイクアップ時間を決定し、そして、マルチキャスト情報を受信する。図５に表わされているように、３つのマルチキャストグループはマルチキャスト情報を送信する必要があり、ここで、３つのマルチキャストグループは、それぞれ、第１マルチキャストグループ、第２マルチキャストグループ、および第３マルチキャストグループであると仮定する。３つのマルチキャストグループのマルチキャストIDが、第１マルチキャストグループから第２マルチキャストグループへ、そして第３マルチキャストグループへの降順で順位付けされる。従って、３つのマルチキャストグループ内のSTAは、図５に表わされている方法で対応するマルチキャスト情報を受信する。第１マルチキャストグループ内のSTAは、DTIMビーコンフレームの後にウェイクアップし、それ自身のマルチキャスト情報（すなわち、第１マルチキャストグループのマルチキャスト情報）を受信し、第２マルチキャストグループ内のSTAは、１つのマルチキャスト情報の平均送信持続期間の満了を待った後にウェイクアップし、それ自身のマルチキャスト情報（すなわち、第２マルチキャストグループのマルチキャスト情報）を受信し、第３マルチキャストグループ内のSTAは、２つのマルチキャスト情報の平均送信持続期間の満了を待った後にウェイクアップし、それ自身のマルチキャスト情報（すなわち、第３マルチキャストグループのマルチキャスト情報）を受信する。任意選択で、STAが１つのマルチキャスト情報の平均送信持続期間を待った後に毎回、STAは、さらに、１つのSIFSを待ち得る。
例えば、STAが２つのマルチキャスト情報の平均送信持続期間を待つならば、合計の待っている持続期間は（２つのマルチキャスト情報の平均送信持続期間＋２つのSIFS）である。
【手続補正４】
【補正対象書類名】明細書
【補正対象項目名】００９６
【補正方法】変更
【補正の内容】
【００９６】
マルチキャストIDがAIDであることに基づいて、DTIMビーコンフレームは、次の方法で、送信されるべきマルチキャスト情報を有するマルチキャストグループを示し得る。送信されるべきマルチキャスト情報を有するマルチキャストグループを示すために、DTIMビーコンフレーム内の部分仮想ビットマップを使用すること。例えば、部分仮想ビットマップ内のAIDに対応するビットが１ならば、マルチキャストIDとしてこのAIDを使用するマルチキャストグループが送信されるべきマルチキャスト情報を有することを示し、部分仮想ビットマップ内の複数のAIDに対応するビットが１ならば、マルチキャストIDとしてこれらのAIDを使用するマルチキャストグループが送信されるべきマルチキャスト情報を有することを示す。従って、AIDがマルチキャストIDとして使用されるとき、ビーコンフレーム内に存在するビットは、さらに、送信されるべきマルチキャスト情報を有するマルチキャストグループを通知するために使用され得る。ビーコンフレームは拡大される必要がなく、これはビーコンフレームの圧縮に導く。
【手続補正５】
【補正対象書類名】明細書
【補正対象項目名】０１２５
【補正方法】変更
【補正の内容】
【０１２５】
ステップ７０２：STAが属するマルチキャストグループのマルチキャストIDをSTAに送信する。
【手続補正６】
【補正対象書類名】明細書
【補正対象項目名】０１２６
【補正方法】変更
【補正の内容】
【０１２６】
APは、次の任意選択の実現方法で、ステーションSTAが属するマルチキャストグループのマルチキャストIDを決定し得る。APは、STAが属するマルチキャストグループのマルチキャストIDを１つのAIDにマッピングする。
【手続補正７】
【補正対象書類名】明細書
【補正対象項目名】０１８０
【補正方法】変更
【補正の内容】
【０１８０】
任意選択の実現方法において、この実施例におけるAPは、マッピングモジュール１００４をさらに含む。マッピングモジュール１００４は、第３送信モジュール１００３に接続され、第３送信モジュール１００３が、STAが属するマルチキャストグループのマルチキャストIDをSTAに送信する前に、STAが属するマルチキャストグループのマルチキャストIDをAIDにマッピングするように構成される。
【手続補正８】
【補正対象書類名】明細書
【補正対象項目名】０２０９
【補正方法】変更
【補正の内容】
【０２０９】
任意選択の実現方法において、図１４に表わされているように、この実施例におけるSTAは、第６送信モジュール１３０４をさらに含む。第６送信モジュール１３０４は、マルチキャストIDを要求するための情報をAPに送信するように構成される。従って、第７受信モジュール１３０３は、具体的には、この実施例においてSTAが属するマルチキャストグループのマルチキャストIDを受信するように構成され、ここで、マルチキャストIDは、第６送信モジュール１３０４によって送信される、マルチキャストIDを要求するための情報に従って、APによって送信される。任意選択で、第７受信モジュール１３０３は、第６送信モジュール１３０４に接続され、第６送信モジュール１３０４がマルチキャストIDを要求するための情報を送信した後に、この実施例においてSTAが属するマルチキャストグループのマルチキャストIDをAPから受信するように構成される。
【手続補正９】
【補正対象書類名】明細書
【補正対象項目名】０２３２
【補正方法】変更
【補正の内容】
【０２３２】
任意選択の実現方法において、図１７に表わされているように、この実施例におけるAPは、第１１受信モジュール１６０４をさらに含む。第１１受信モジュール１６０４は、第１０送信モジュール１６０２が、STAが属するマルチキャストグループのマルチキャストIDをSTAに送信した後に、肯定応答メッセージをSTAから受信するように構成される。任意選択で、第１１受信モジュール１６０４は、第１０送信モジュール１６０２に接続される。